(57)【特許請求の範囲】
【請求項１】
所定の遊技状態が成立した時に装置本体の幅内に位置する原状態から前記装置本体の幅以上に拡張する拡張部材を設けるとともに、前記拡張部材に表示部を設け、かつ前記拡張部材は前記装置本体の幅を越えて側方へ反転旋回させられるものであるとともに、前記表示部は前記拡張部材の表面に設けられた一の散点状表示部と前記拡張部材の裏面に設けられた前記一の表示部とは異なる他の散点状表示部よりなる遊技装置。
【請求項２】
請求項１に記載の遊技装置を複数並設して、各遊技装置の拡張部材を拡張させた状態でこれら遊技装置の前記拡張部材が互いに連なるようにした遊技設備。
【発明の詳細な説明】
【技術分野】
【０００１】
本発明は遊技装置に関し、特に、迫力ある演出を可能にする遊技装置に関するものである。
【背景技術】
【０００２】
特許文献１には遊技装置たるパチンコ遊技機において、その前面枠の上縁にそって横長のランプ表示器を設けたものが示されている。ランプ表示器内には間隔をおいて長手方向へ多数のネオン蛍光管が設けられている。そして、このようなパチンコ遊技機をパチンコ機設置島に複数並設すればランプ表示器が連続して、全体の雰囲気を華やかにできると記載されている。
【先行技術文献】
【特許文献】
【０００３】
【特許文献１】特開平５−１６８７６７
【発明の概要】
【発明が解決しようとする課題】
【０００４】
しかし、上記従来のパチンコ遊技機では、互いに接して並設された場合には表示の一体感を得ることが可能であるが、これらの間に台間玉貸機等が介在してパチンコ遊技機同士が離れると、表示の一体感が大きく減殺されるとともに、各パチンコ遊技機の表示の迫力も失われるという問題があった。
【０００５】
そこで本発明はこのような課題を解決するもので、遊技装置単体として迫力ある演出が可能であるとともに、複数並設された際には全体の一体感を損なうことのない、より迫力のある演出を可能とする遊技装置を提供することを目的とする。
【課題を解決するための手段】
【０００６】
上記目的を達成するために、本第１発明の遊技装置（１）では、所定の遊技状態が成立した時に装置本体（１２）の幅内に位置する原状態から前記装置本体（１２）の幅以上に拡張する拡張部材（３）を設けるとともに、前記拡張部材（３）に表示部（３１１，３１２）を設け、かつ前記拡張部材（３）は前記装置本体（１２）の幅を越えて側方へ反転旋回させられるものであるとともに、前記表示部は前記拡張部材（３）の表面に設けられた一の散点状表示部（３１１）と前記拡張部材（３）の裏面に設けられた前記一の表示部（３１１）とは異なる他の散点状表示部（３１２）よりなる。
【０００７】
本第１発明においては、所定の遊技状態が成立した時に拡張部材が装置本体幅内からその幅を越えて機械的に拡張させられるから、遊技装置単体として、迫力ある演出が可能である。また、表示部を設けることによって拡張部材の拡張作動時にさらに迫力ある表示が可能となる。
【００１０】
本第２発明の遊技設備では、本第１発明の遊技装置（１）を複数並設して、各遊技装置（１）の拡張部材（２）を拡張させた状態でこれら遊技装置（１）の前記拡張部材（２）が互いに連なるようにする。
【００１１】
本第２発明においては、隣り合う遊技装置の拡張した拡張部材が互いに連続し、遊技装置間に間隔が空いていても全体の一体感を損なうことのない、より迫力のある演出が可能となる。
【００１２】
上記カッコ内の符号は、後述する実施形態に記載の具体的手段との対応関係を参考的に示すものである。
【発明の効果】
【００１３】
本発明によれば、遊技装置単体として迫力ある演出が可能であるとともに、複数並設された際には全体の一体感を損なうことのない、より迫力のある演出が可能となる。
【図面の簡単な説明】
【００１４】
【図１】本発明の第１参考例における、パチンコ遊技機を並設した島設備の概略正面図である。
【図２】拡張部材設置部の斜視図である。
【図３】拡張部材設置部の平面図である。
【図４】拡張部材端部の断面図で、図３のIV−IV線に沿った拡大断面図である。
【図５】拡張部材が前方へ進出作動した状態の、拡張部材設置部の概略平面図である。
【図６】拡張部材が側方へ拡張作動した状態の、拡張部材端部の断面図である。
【図７】拡張部材が前方へ進出し側方へ拡張した状態の斜視図である。
【図８】拡張部材が側方へ拡張した状態のパチンコ遊技機を並設した島設備の概略正面図である。
【図９】本発明の一実施形態における、拡張部材を設置したパチンコ遊技機の前枠上縁コーナ部の概略正面図である。
【図１０】本発明の第２参考例における、拡張部材を設置したパチンコ遊技機の前枠上縁コーナ部の概略正面図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
（第１参考例）
図１には本発明を適用したパチンコ遊技機１を複数、一定間隔をおいて島内に並設した遊技設備を示す。遊技設備を構成する遊技装置たる各パチンコ遊技機１は同一構造で、遊技領域１１の上方の、遊技機本体を構成する前枠１２の上縁中央に横長の拡張部材２が設けられている。
【００１７】
ここで、拡張部材２を設置した前枠１２部分の透視斜視図を図２に示し、当該前枠１２部分の水平概略断面図を図３に示す。また、拡張部材２の一方の端部の断面図である、図３のIV−IV線に沿った断面図を図４に示す。
【００１８】
拡張部材２は両端開放の円筒状収容部２１を備えており、当該収容部２１の前半周面が、前枠１２の上縁中央に設けられた横長開口１２１から前方へ露出している。収容部２１の後半周からは遊技機内へ角板状の基部２２が突出しており、基部２２の後端左右位置に設けられた長穴２２１には（図３）それぞれ旋回アーム２３の先端が連結されている。各旋回アーム２３は円形の基端が駆動モータ（図示略）の出力軸２４に連結されており、駆動モータによって図３の矢印で示すように水平面内で左右の旋回アーム２３が同期して正逆旋回作動させられる。
【００１９】
収容部２１には左右の端部内（図４は右端部内を示す）にそれぞれ二重筒体２５，２６が収容されている。二重筒体２５，２６は、外筒２５と当該外筒２５内に位置する内筒２６で構成されている。外筒２５は両端開放の円筒体で、収容部２１の内周壁に沿ってその筒軸方向へ摺動可能となっている。内筒２６は外側端が閉鎖された円筒体で、外筒２５の内周壁に沿ってその筒軸方向へ摺動可能となっている。外筒２５および内筒２６が収容部２１内に位置する図４に示す原状態では、外筒２５の外側開口端および内筒２６の外側端は収容部２１の開口端と面一になっている。なお、内筒２６の外側端内には磁石２６１が埋設されている。
【００２０】
図４において、内筒２６の内側端には伸縮アーム２７の先端が連結されている。伸縮アーム２７は多数のリンクアーム２７１を連結して構成されており、最内部に位置する一対のリンクアーム２７１の基端がそれぞれ駆動モータ（図示略）の出力軸２８に連結されている。駆動モータを図４の矢印で示すように正逆回転させると、図４に示す折り畳まれた状態からリンクアーム２７１が展開し(図６参照)、駆動モータの正逆転に応じて伸縮アーム２７全体が伸縮する。これにより、後述するように内筒２６および外筒２５が摺動させられる。なお、以上に説明した構造の二重筒体２６，２７は収容部２１の左端部内にも同様に対称的に設けられている。
【００２１】
以上に説明した拡張部材２を備えるパチンコ遊技機１において、特別入賞状態等の所定の遊技状態が成立すると、駆動モータが起動正転させられて図５の矢印で示すように左右の旋回アーム２３が前枠１２の外方へ旋回させられ、拡張部材２の収容部２１全体が横長開口１２１を経て前枠１２の前方へ進出させられる。
【００２２】
収容部２１が前枠１２の前方へ進出させられると、駆動モータが起動正転して、図６に示すように、伸縮アーム２７の最内部に位置するリンクアーム２７１が図６の矢印に示す方向へ回動させられ、この結果、折り畳まれたリンクアーム２７１が展開して伸縮アーム２７が全体として伸張させられる。伸縮アーム２７の伸長に伴って内筒２６が外筒２５内を外方へ摺動させられ、さらに伸縮アーム２７が伸張すると、内筒２６に続いて外筒２５が収容部２１内から引き出されて外方へ摺動させられ、内筒２６と外筒２５が収容部２１内から大きく側方へ突出させられる。
【００２３】
このような内筒２６および外筒２５の突出が収容部２１の両端で行われることによって、図７に示すように拡張部材２が前枠１２の前方位置で左右に拡張した状態となる。この拡張は図８に示すように、各パチンコ遊技機１で前枠１２、すなわち遊技機本体の幅（側端部）を越えて行われ、一定間隔をおいて並設された隣り合うパチンコ遊技機１の各拡張部材２が拡張した左右端で互いに当接して連続する。この連続状態は、内筒２６の突出端たる外側端内に埋設されている磁石２６１（図６）が互いに引き合うことによって確実に保証される。そして、互いに当接する内筒２６の外側対向面が同形であることによって外観上さらに一体感が得られる。本実施形態においては、収容部２１を前枠１２の前方へ進出させた後、内筒２６および外筒２５を側方へ突出させているから、パチンコ遊技機１の表面に設けられている他の部材との干渉を避けることができる。
【００２４】
このようにして本参考例のパチンコ遊技機１においては、所定の遊技状態が成立した時に拡張部材２がパチンコ遊技機１の本体幅内からその幅を越えて機械的に拡張させられるから、各パチンコ遊技機１単体として、迫力ある演出が可能である。そして、このようなパチンコ遊技機１を上述のように島内に複数並設した場合には、隣り合うパチンコ遊技機１の拡張した拡張部材２が互いに当接して連続し、パチンコ遊技機１間に間隔が空いていても全体の一体感を損なうことのない、より迫力のある演出が可能となる。ここで、所定の遊技状態とは、単一のパチンコ遊技機における特別遊技状態（例えば大当たり状態）の他、現在時刻を認識可能なモジュール（ＲＴＣ：リアルタイムクロック）を搭載したパチンコ遊技機において、特定の時刻に隣り合う複数のパチンコ遊技機が一斉に動作する状態を指す。
【００２５】
特に、拡張部材２に表示部を設けて発光させ、あるいは液晶表示させる等すればさらに迫力ある表示が可能である。またこの際、連続し一体化された島全体のパチンコ遊技機１の拡張部材２で統一した絵柄を表示するようにすればさらに一体感と迫力のある表示を行うことができる。なお、拡張部材２を収縮させる場合には、駆動モータを逆転させて最初に内筒２６および外筒２５を収容部２１内に退入させ、この後、収容部２１を前枠１２内に退入させて図２に示す原状態とする。
【００２６】
なお、拡張部材の駆動構造は、リンクアーム式に限定されず、ラックピニオン構造を利用することもできる。内筒２６の内側端にラックギヤの一端部が連結され、ピニオンギヤの回転に伴いラックギヤが左右に移動するとともに内筒２６が外方に拡張する。これによれば、リンクアーム構造に比べ内部の伝達構造をコンパクトにすることができる。この場合、駆動源及びピニオンギヤを中央に１つずつ設け、その点対称上に一対のラックギヤを配置することで左右の拡張部材を同時に動作させることができ、駆動源及び伝達構造を更にコンパクトに収容することができる。
【００２７】
表示部には一つのパチンコ遊技機の一端側から他端側までの範囲で１周期となる表示内容を表示するように制御すると良い。そうすることで、前述の特定時刻で一斉に動作して複数のパチンコ遊技機が連なったときに、表示部に表示された内容が途中で途切れることなく隣接するパチンコ遊技機の表示部に流れるように表示されているかのように見え、島全体において更に一体感と迫力のある演出が可能となる。
【００２８】
（実施形態）
図９には拡張部材の他の例を示す。図９において、パチンコ遊技機１の遊技領域１１の上縁の前枠１２の中央部分に表示器５１が設けられ、これを挟んで左右位置に（図では正面向かって左位置のもののみを示す）拡張部材３が設けられている。拡張部材３は、遊技領域１１にかかる部分が欠落した横長長方形の表示板３１を備えており、表示板３１の表面には散点状に表示部としての発光素子３１１が設けられている。表示板３１は外側縁が、駆動モータ３２の起立した出力軸３３に固定されて、水平面内で回動可能である。
【００２９】
特別入賞状態等の所定の遊技状態が成立すると、駆動モータ３２が起動させられて表示板３１が図９の鎖線で示すように前枠１２、すなわち遊技機本体の幅を越えて側方へ反転旋回させられる。反転した表示板３１の裏面には表面側とは異なる散点状の表示部としての発光素子３１２が設けられている。
【００３０】
このようにして、所定の遊技状態が成立した時に拡張部材３がパチンコ遊技機１の本体幅内からその幅を越えて機械的に拡張させられるから、本実施形態においても各パチンコ遊技機１単体として迫力ある演出が可能となる。そして、このようなパチンコ遊技機１を島内に複数並設した場合には、隣り合うパチンコ遊技機１の拡張した拡張部材３の表示板３１が図９に示すように互いに当接して連続し、パチンコ遊技機１間に間隔が空いていても全体の一体感を損なうことのない、より迫力のある演出が可能となる。
【００３１】
（第２参考例）
図１０には拡張部材のさらに他の例を示す。図１０において、パチンコ遊技機１の遊技領域１１の上縁の前枠１２の中央部分に表示器５２が設けられ、これを挟んで左右位置に（図では正面向かって右位置のもののみを示す）拡張部材４が設けられている。拡張部材４は、遊技領域１１にかかる部分が欠落した縦長長方形の表示板４１を備えている。なお、表示板４１上に設けられた表示部は図示を省略してある。表示板４１は上端部の中央が、駆動モータ（図示略）の前後方向へ延びる水平姿勢の出力軸４２に固定されて、前枠１２の表面に平行な垂直面内で回動可能である。
【００３２】
特別入賞状態等の所定の遊技状態が成立すると、駆動モータが起動させられて表示板４が図１０の鎖線で示すように前枠１２、すなわちパチンコ遊技機１本体の幅を越えて垂直面内で側方へ旋回させられる。
【００３３】
このようにして、所定の遊技状態が成立した時に拡張部材４がパチンコ遊技機１の本体幅内からその幅を越えて機械的に拡張させられ、本実施形態においても各パチンコ遊技機１単体として迫力ある演出が可能となる。そして、このようなパチンコ遊技機１を島内に複数並設した場合には、隣り合うパチンコ遊技機１の拡張した拡張部材３の表示板３１が図１０に示すように互いに近接して連続し、パチンコ遊技機１間に間隔が空いていても全体の一体感を損なうことのない、より迫力のある演出が可能となる。
【００３４】
（その他の実施形態）
上記各実施形態において、拡張部材を配置する位置は遊技機の前枠上縁に限られず、側方や受皿部、外枠幕板部等の遊技者が視認できる位置であれば良い。また拡張部材は左右両方に拡張するものに限られず、片方にのみ拡張して遊技機の幅を超えるようにしてもよい。拡張部材が拡張している場合には前枠の開放動作を制限し、あるいは拡張部材を収縮させる操作部を設けて、扉開放の前に予め拡張部材を収縮させ、さらには前枠の開錠操作を検出して前枠が開放される前に自動的に拡張部材が収縮するようにすれば、これらの干渉を未然に防止することができる。拡張部材が拡張した状態で全体が一体的に移動する（例えば上下方向）ような構造としても良い。こうすることで単に意匠的な繋がりだけでなく、全体の一体感をより印象付けることができる。
【００３５】
本発明は上記実施形態に示すパチンコ遊技機以外に、アレンジボール遊技機等の他の弾球遊技機、じゃん球遊技機、パチスロ機や球式パチスロ機等の回動遊技機等の遊技装置、さらには台間玉貸機や呼出し器等の遊技装置に広く適用することができる。拡張部材に表示部以外に所定の遊技状態で作動するスピーカや送風機等を設ければさらに迫力のある遊技演出が可能になる。拡張部材を筒状に成形して、隣り合う遊技装置の拡張部材が互いに拡張連続した状態で内部に音や風を送るようにすれば、島設備の端部から音や風を感じることができて周辺の遊技者に迫力ある演出効果を与えることができる。また隣り合う遊技装置の表示部の制御内容を無線や有線で認識できるようにすることで、互いに隣り合う遊技装置の表示内容に合わせた表示を行うようにできる。
【符号の説明】
【００３６】
１…パチンコ遊技機（遊技装置）、１２…前枠（装置本体）、２…拡張部材、２１…収容部、２２…基部、２３…旋回アーム、２５…外筒、２６…内筒、２７…伸縮アーム、３…拡張部材、３１…表示板、３１１，３１２…表示部、３２…駆動モータ、４…拡張部材、４１…表示板。
【図１】
0006479410.tif 000002
【図２】
0006479410.tif 000003
【図３】
0006479410.tif 000004
【図４】
0006479410.tif 000005
【図５】
0006479410.tif 000006
【図６】
0006479410.tif 000007
【図７】
0006479410.tif 000008
【図８】
0006479410.tif 000009
【図９】
0006479410.tif 000010
【図１０】
0006479410.tif 000011